(57)【特許請求の範囲】
【請求項１】
蒸気圧縮式冷凍サイクルの冷媒回路（１１）を備えた空気調和装置において、
上記冷媒回路（１１）では、室内熱交換器（３１）を備える室内ユニット（３０）と、圧縮機（２１）及び室外熱交換器（２３）を備える室外ユニット（４０）とが、それぞれ閉鎖弁（１４,１５）を備える配管（１２,１３）によって接続されており、
上記室外ユニット（４０）における圧縮機（２１）の吸入管（２７）に配置されると共に該圧縮機（２１）の吸入側の低圧冷媒圧力を検出する圧力検出手段（ＬＳ）と、
該圧力検出手段（ＬＳ）が検出した冷媒圧力が所定範囲から外れたときは、圧縮機（２１）を停止させる停止手段（６２）と、
該停止手段（６２）が圧縮機（２１）を停止した後、該圧縮機（２１）を再起動させるリトライ手段（６５）と、
電源を投入した後の最初の空調運転が冷房運転の場合は該最初の空調運転の開始時に上記リトライ手段（６５）の作動を禁止する一方、電源を投入した後の二度目以降の空調運転時には上記リトライ手段（65）の作動を許容するリトライ禁止手段（６６）とを備えている
ことを特徴とする空気調和装置。
【請求項２】
請求項１記載の空気調和装置において、
圧力検出手段（ＬＳ）が検出した冷媒圧力が圧縮機（２１）の作動を開始した後の所定時間以内に所定範囲から外れたときは、恒常的異常と判定する判定手段（６３）を備えている
ことを特徴とする空気調和装置。
【請求項３】
請求項２記載の空気調和装置において、
判定手段（６３）により恒常的異常と判定されたときは、上記恒常的異常であることを表示する表示手段（６４）を備えている
ことを特徴とする空気調和装置。
【発明の詳細な説明】
【０００１】
【発明の属する技術分野】
本発明は、空気調和装置に関し、圧縮機の起動対策に係るものである。
【０００２】
【従来の技術】
従来より、空気調和装置には、特開平８−１００９４４号公報に開示されているように、室外ユニットと室内ユニットとが冷媒配管によって接続されたセパレートタイプのものがある。そして、圧縮機の吐出側には、高圧保護圧力スイッチを設け、装置の保護を図っている。この空気調和装置において、圧縮機の駆動中に高圧冷媒圧力が異常上昇した場合には、圧縮機を所定時間だけ強制的に停止し、その後、再起動させるようにしている。
【０００３】
【発明が解決しようとする課題】
ところが、上記のような高圧冷媒圧力の異常上昇は、外気温度などの運転条件の他、操作ミスなどの恒常的な異常がある場合にも起こり得る。例えば、セパレートタイプの空気調和装置には閉鎖弁が設けられており、この装置の据え付け時にはクリーン状態を保持する等の理由により閉鎖弁は閉鎖されている。そして、据え付け後に閉鎖弁を開けるの忘れ、そのまま装置を運転させてしまう場合である。この場合、閉鎖弁が閉まっているため、冷媒が循環可能な状態になっていない。そのため圧縮機が作動しても、圧縮機の吐出側では冷媒が異常な高圧状態となる一方、吸入側では異常な低圧状態となり、すぐに圧縮機は停止してしまう。このような状態で繰り返しリトライ動作が作動し、圧縮機を再起動させると、装置部品を損傷する恐れがある。
【０００４】
このような場合には、リトライ動作が繰り返し作動しても、異常状態が回復しない限り、圧縮機はすぐに停止してしまう。一方、装置据え付け後の最初の運転時に圧縮機が停止してしまうような場合には、操作者もすぐに原因を追及し、上記異常状態を回復させるための対策をとることが一般的である。従って、従来、異常状態にあるにも拘わらず、無駄なリトライ動作を行っていたという問題があった。
【０００５】
本発明は、かかる点に鑑みてなされたものであり、リトライ動作による装置部品の損傷を防止することにより、空気調和装置の信頼性を向上することを目的としている。
【０００６】
【課題を解決するための手段】
本発明は、電源を投入した後の最初の空調運転の開始時には、リトライ動作を禁止するようにしたものである。
【０００７】
具体的に、第１の解決手段は、蒸気圧縮式冷凍サイクルの冷媒回路（１１）を備えた空気調和装置において、上記冷媒回路（11）では、室内熱交換器（31）を備える室内ユニット（30）と、圧縮機（21）及び室外熱交換器（23）を備える室外ユニット（40）とが、それぞれ閉鎖弁（14,15）を備える配管（12,13）によって接続されており、上記室外ユニット（40）における圧縮機（21）の吸入管（27）に配置されると共に該圧縮機（21）の吸入側の低圧冷媒圧力を検出する圧力検出手段（ＬＳ）と、該圧力検出手段（ＬＳ）が検出した冷媒圧力が所定範囲から外れたときは、圧縮機（２１）を停止させる停止手段（６２）と、該停止手段（６２）が圧縮機（２１）を停止した後、該圧縮機（２１）を再起動させるリトライ手段（６５）と、電源を投入した後の最初の空調運転が冷房運転の場合は該最初の空調運転の開始時に上記リトライ手段（６５）の作動を禁止する一方、電源を投入した後の二度目以降の空調運転時には上記リトライ手段（65）の作動を許容するリトライ禁止手段（６６）とを備えることとしたものである。
【０００８】
上記第１の解決手段では、圧縮機（２１）の吸入側の低圧冷媒圧力が検出され、上記圧力が所定範囲外になったか否かが判定される。低圧冷媒圧力が所定範囲から外れると圧縮機（２１）を停止させる。そして、電源を投入した後の最初の冷房運転の開始時には圧縮機（２１）が再起動されない。従って、閉鎖弁（１４，１５）の開き忘れに対し、正確な対処が行われる。
【０００９】
また、第２の解決手段は、上記第１の解決手段において、圧力検出手段（ＬＳ）が検出した冷媒圧力が圧縮機（２１）の作動を開始した後の所定時間以内に所定範囲から外れたときは、恒常的異常と判定する判定手段（６３）を備えていることとしたものである。
【００１０】
上記第２の解決手段では、冷媒圧力が圧縮機（２１）が作動を開始した後の所定時間以内に所定範囲から外れたときには、閉鎖弁（１４，１５）の開き忘れなどの恒常的異常と判定される。
【００１１】
また、上記第３の解決手段は、上記第２の解決手段において、判定手段（６３）により恒常的異常と判定されたときは、上記恒常的異常であることを表示する表示手段（６４）を備えていることとしたものである。
【００１２】
上記第３の解決手段では、恒常的異常と判定されたときは、上記恒常的異常が表示される。
【００１３】
【発明の効果】
従って、本発明によれば、最初の冷房運転の開始時には圧縮機（２１）が再起動されないため、無駄な再起動を防止することができる。特に、閉鎖弁（１４，１５）の開き忘れなどの恒常的異常の場合、圧縮機（２１）の再起動を行わないので、装置部品の損傷を確実に防止することができる。
【００１４】
また、本発明によれば、圧縮機（２１）の吸入側の冷媒圧力を検出しているため、冷媒状態の異常に対する判断の応答性がよくなる。
【００１５】
また、上記第２の解決手段によれば、圧縮機（２１）が作動を開始した所定時間以内に冷媒圧力が所定範囲から外れたときは恒常的異常と判定され、圧縮機（２１）の無駄な再起動を防止することができる。つまり、閉鎖弁（１４，１５）の開き忘れの場合、冷媒圧力の変動が瞬時に生じるので、恒常的異常を判別することができる。
【００１６】
また、上記第３の解決手段によれば、恒常的異常があることを操作者に知らせることができる。
【００１７】
【発明の実施の形態】
以下、本発明の実施形態を図面に基づいて詳細に説明する。
【００１８】
図１に示すように、本実施形態の空気調和装置（１０）は、室外ユニット（２０）と室内ユニット（３０）とが接続されたいわゆるセパレートタイプの空気調和装置（１０）である。
【００１９】
上記室外ユニット（２０）は、圧縮機（２１）と、四路切換弁（２２）と、室外熱交換器（２３）と、補助熱交換器（２４）と、膨張回路（２５）とを備えて構成されている。
【００２０】
上記室内ユニット（３０）は、室内熱交換器（３１）を備えて構成されている。
【００２１】
そして、上記圧縮機（２１）と、四路切換弁（２２）と、室外熱交換器（２３）と、補助熱交換器（２４）と、膨張回路（２５）と、室内熱交換器（３１）とが冷媒が循環可能に順に接続され、冷媒回路（１１）が構成されている。
【００２２】
上記室外ユニット（２０）と室内ユニット（３０）は、液側配管（１２）及びガス側配管（１３）により接続されている。液側配管（１２）は膨張回路（２５）と室内熱交換器（３１）とを接続している。ガス側配管（１３）は、四路切換弁（２２）と室内熱交換器（３１）とを接続している。
【００２３】
上記圧縮機（２１）は、インバータにより容量可変に調節されるスクロールタイプに構成されている。この圧縮機（２１）の吐出側には吐出管（２６）が、吸入側には吸入管（２７）が接続されている。上記吐出管（２６）には、圧縮機（２１）の運転音を低減するためのマフラ（２８）が接続されている。上記吸入管（２７）には、冷媒中の塵埃を除去するフィルタ（２９）が設置されている。
【００２４】
上記四路切換弁（２２）は、圧縮機（２１）の吐出側と室外熱交換器（２３）とが連通し且つ圧縮機（２１）の吸入側と室内熱交換器（３１）とが連通する状態（図１に実線で示す状態）と、圧縮機（２１）の吐出側と室内熱交換器（３１）とが連通し且つ圧縮機（２１）の吸入側と室外熱交換器（２３）とが連通する状態（図１に波線で示す状態）とに切り換わるように構成されている。この四路切換弁（２２）を切り換えることによって、冷媒回路（１１）における冷媒の循環方向が切り換わる。
【００２５】
上記室外熱交換器（２３）及び補助熱交換器（２４）は、いわゆるクロスフィン形の熱交換器にに構成され、室外空気と冷媒とを熱交換させる。
【００２６】
上記膨張回路（２５）は、冷媒を減圧するように構成されている。この膨張回路（２５）は、ブリッジ回路で構成される方向制御回路（４１）と、この方向制御回路（４１）に接続される一方向通路（４２）により構成されている。上記方向制御回路（４１）は、冷房運転時には室外熱交換器（２３）からの冷媒を、暖房運転時には室内熱交換器（３１）からの冷媒を一方向通路（４２）に案内するように構成されている。
【００２７】
上記一方向通路（４２）には、上流側に位置して冷媒を貯留しながら冷媒を流出させるレシーバ（４３）と、その下流側に位置する開度調整可能な電子膨張弁（４４）とが直列に配置されている。従って、レシーバ（４３）には、冷媒の循環方向に拘わらず常に液冷媒が流入する。なお、レシーバ（４３）と電子膨張弁（４４）との間には、冷媒中の塵埃を除去するフィルタ（４５）が設置されている。
【００２８】
上記一方向通路（４２）は、上記フィルタ（４５）と電子膨張弁（４４）との間において、圧縮機（２１）の停止時における液封を防止する液封防止通路（４６）を介して、圧縮機（２１）の吐出管（２６）に接続されている。この液封防止通路（４６）には、上記一方向通路（４２）から吐出管（２６）への冷媒の流通を許容する逆止弁（４７）が設置されている。
【００２９】
上記方向制御回路（４１）は、第１流入路（４８）と、第１流出路（４９）と、第２流入路（５０）と、第２流出路（５１）とがブリッジ状に接続されて構成されている。各流入路及び各流出路には、それぞれ逆止弁（ＣＶ）が設けられている。
【００３０】
上記第１流入路（４８）は、室外熱交換器（２３）が接続される第１接続点（５２）から、１方向通路の上流端が接続される第２接続点（５３）に向かう冷媒流れを形成している。また、上記第１流出路（４９）は、一方向通路（４２）の下流端が接続される第３接続点（５４）から、室内熱交換器（３１）が接続される第４接続点（５５）に向かう冷媒流れを形成している。
【００３１】
上記第２流入路（５０）は、第４接続点（５５）から第２接続点（５３）に向かう冷媒流れを形成している。また、上記第２流出路（５１）は、第３接続点（５４）から第１接続点（５２）に向かう冷媒流れを形成している。
【００３２】
上記レシーバ（４３）の上部と、常時低圧液配管となる一方向通路（４２）における電子膨張弁（４４）より下流側との間にはバイパス通路（５６）が接続されている。該バイパス通路（５６）には電磁弁（５７）が設置されており、レシーバ（４３）内のガス冷媒を抜くことができるように構成されている。
【００３３】
尚、この電磁弁（５７）及び電子膨張弁（４４）が運転停止時に閉鎖した状態となっても、上記液封防止通路（４６）が、周囲温度の上昇などによりレシーバ（４３）内の液冷媒が膨張しても、この冷媒を一方向通路（４２）から熱交換器（２３，３１）側に流す役目を果たす。
【００３４】
上記液側配管（１２）及びガス側配管（１３）には、それぞれ閉鎖弁（１４，１５）が設置されている。この各閉鎖弁（１４，１５）は、室外ユニット（２０）及び室内ユニット（３０）が据え付けられるまで、クリーン状態を保持する等の理由により閉鎖されている。そして、この各閉鎖弁（１４，１５）は、通常据え付け完了後に試運転をする際に据え付け業者により開放され、その後は開放されたままである。
【００３５】
上記圧縮機（２１）の吐出管（２６）には、該圧縮機（２１）の吐出管温度を検出する吐出管温度センサ（Ｔｄ）が設置されている。また、室外ユニット（２０）の空気吸込口には、室外空気温度を検出する外気温センサ（Ｔｏ）が配置され、室外熱交換器（２３）には、冷房運転時には凝縮温度となり、暖房運転時には蒸発温度となる外熱交温度を検出する外熱交温度センサ（Ｔｃ）が配置されている。さらに、上記室内ユニット（３０）の空気吸込口には、室内空気温度を検出する室温センサ（Ｔｒ）が配置され、室内熱交換器（３１）には、冷房運転時には蒸発温度となり、暖房運転時には凝縮温度となる内熱交温度を検出する内熱交温度センサ（Ｔｅ）が配置されている。
【００３６】
上記圧縮機（２１）の吐出管（２６）には、高圧冷媒圧力を検出して、該高圧冷媒圧力の過上昇によりオンとなって高圧保護信号を出力する高圧保護圧力スイッチ（ＨＳ１）と、上記高圧冷媒圧力を検出して高圧制御信号を出力する高圧制御圧力センサ（ＨＳ２）とが配置されている。また、圧縮機（２１）の吸入管（２７）には、低圧冷媒圧力を検出して、該低圧冷媒圧力の過低下によりオンとなって低圧保護信号を出力する低圧保護圧力スイッチ（ＬＳ）が配置されている。上記低圧保護圧力スイッチ（ＬＳ）が圧力検出手段（ＬＳ）を構成している。
【００３７】
上記各温度センサ（Ｔｄ、Ｔｏ、Ｔｃ、Ｔｒ、Ｔｅ）、高圧保護圧力スイッチ（ＨＳ１）、高圧制御圧力センサ（ＨＳ２）、及び低圧保護圧力スイッチ（ＬＳ）の出力信号がコントローラ（６０）に入力される。図２に示すように、上記コントローラ（６０）は入力信号に基づいて空調運転を制御する運転制御手段（６１）を備えている。具体的に、上記運転制御手段（６１）は圧縮機（２１）のインバータの運転周波数を所定の周波数ステップに区分し、室内温度が設定温度に収束するように周波数ステップを制御するように構成されている。また、この運転制御手段（６１）は、外熱交温度センサ（Ｔｃ）及び内熱交温度センサ（Ｔｅ）が検出する凝縮温度や蒸発温度から最適な冷凍効果を与える吐出管温度の最適値を算出し、該吐出管温度がその最適値になるように弁開度を算出して電子膨張弁（４４）の開度を制御するように構成されている。
【００３８】
一方、上記コントローラ（６０）は、本発明の特徴である停止手段（６２）と、判定手段（６３）と、表示手段（６４）と、リトライ手段（６５）と、リトライ禁止手段（６６）とを備えている。
【００３９】
上記停止手段（６２）は、冷媒の圧力が所定範囲外になると圧縮機（２１）を停止させるように構成されている。具体的には、上記（６２）は、高圧保護圧力スイッチ（ＨＳ１）の検出値が所定値以上になると、圧縮機（２１）の作動を停止させるように構成されている。また、上記（６２）は、圧力検出手段（ＬＳ）である低圧保護圧力スイッチ（ＬＳ）の検出値が所定値以下になると、圧縮機（２１）の作動を停止させるように構成されている。
【００４０】
上記判定手段（６３）は、主電源の投入後の最初の運転時に、圧縮機（２１）が作動開始した後、所定時間以内に冷媒圧力が所定範囲から外れたときは、恒常的異常と判定するように構成されている。具体的には、上記（６３）は、主電源を投入した後の最初の運転時において、圧縮機（２１）が作動開始した後の所定時間を計測し、その計測時間以内に高圧保護圧力スイッチ（ＨＳ１）又は低圧保護圧力スイッチ（ＬＳ）の検出値が所定範囲外になったときは、例えば、閉鎖弁の開け忘れと判断するように構成されている。
【００４１】
上記表示手段（６４）は、恒常的異常を表示するように構成されている。具体的には、上記判定手段（６３）が恒常的異常と判定したとき、上記（６４）は、例えば、操作者に閉鎖弁の開け忘れ知らせることができるように図示しないリモコンに表示するように構成されている。
【００４２】
上記リトライ手段（６５）は、上記圧力スイッチ（ＨＳ１、ＬＳ）の検出値が所定範囲内に戻ると、圧縮機（２１）を再起動するように構成されている。具体的には、冷媒の圧力が所定範囲外になり、圧縮機（２１）が停止すると、冷媒回路（１１）内の冷媒圧力が均圧される。そして、高圧保護圧力スイッチ（ＨＳ１）又は低圧保護圧力スイッチ（ＬＳ）の検出値も低下又は上昇する。そして、上記検出値が所定範囲内になると、上記リトライ手段（６５）が圧縮機（２１）を再起動させる。
【００４３】
上記リトライ禁止手段（６６）は、主電源を投入した後の最初の運転時には上記リトライ手段（６５）の作動を禁止するように構成されている。具体的には、主電源の投入後の最初の運転時に圧縮機（２１）が停止し、上記圧力スイッチ（ＨＳ１、ＬＳ）の検出値が所定範囲内に戻ったときには、上記リトライ禁止手段（６６）は、上記リトライ手段（６５）を作動させず、圧縮機（２１）を再起動しないように構成されている。
【００４４】
−運転動作−
この空気調和装置（１０）の具体的な運転動作について説明する。
【００４５】
まず、冷媒循環動作について説明する。冷房運転時には、四路切換弁（２２）が図中の実線で示す接続に切り換わる。圧縮機（２１）から吐出された冷媒が四路切換弁（２２）を通過して、室外熱交換器（２３）及び補助熱交換器（２４）に流入する。室外及び補助熱交換器（２３，２４）において、冷媒が室外空気と熱交換して凝縮する。この凝縮した冷媒が第１流入路（４８）を通過してレシーバ（４３）に一旦貯溜される。そして、冷媒がレシーバ（４３）から流出し、一方向通路（４２）を流通して電子膨張弁（４４）により減圧される。その後、第１流出路（４９）を経て液側配管（１２）に設置される閉鎖弁（１４）を通過し、室内熱交換器（３１）に流入する。そして、室内熱交換器（３１）において冷媒が室内空気を冷却すると共に蒸発する。この蒸発した冷媒がガス側配管（１３）に設置される閉鎖弁（１５）を通過し、室外ユニット（２０）に流入する。室外ユニット（２０）に流入した冷媒が圧縮機（２１）に吸入される。
【００４６】
暖房運転時には、四路切換弁（２２）が図中の波線で示す接続に切り換わる。圧縮機（２１）から吐出された冷媒が四路切換弁（２２）を通過した後、ガス側配管（１３）に設置される閉鎖弁（１５）を通過し、室内熱交換器（３１）に流入する。室内熱交換器（３１）において、冷媒が室内空気を暖房して凝縮する。この凝縮した冷媒が液側配管（１２）に設置される閉鎖弁（１４）を通過し、室外ユニット（２０）に流入する。室外ユニット（２０）に流入した冷媒が第２流入路（５０）を通過してレシーバ（４３）に一旦貯溜される。そして、冷媒がレシーバ（４３）から流出し、一方向通路（４２）を流出して電子膨張弁（４４）により減圧される。その後、第２流出路（５１）を経て補助熱交換器（２４）及び室外熱交換器（２３）に流入する。補助及び室外熱交換器（２４，２３）において、冷媒が室外空気と熱交換して蒸発し、圧縮機（２１）に吸入される。
【００４７】
次に、空気調和装置（１０）の制御動作について説明する。
【００４８】
まず、主電源の投入後に運転が開始されたときの制御動作について、図３に示すフローチャートに基づいて説明する。ステップＳＴ１において、主電源が投入されると、空気調和装置（１０）は運転準備状態となる。据え付け後に主電源が投入されると、通常、以後は主電源がずっと投入されたままである。続いて、ステップＳＴ２に移り、リモコン（図１には示されていない）により駆動電源が投入されると、ステップＳＴ３に移り、初回運転モードによる運転が開始される。そして、ステップＳＴ４において、圧縮機（２１）の作動が開始する。
【００４９】
ステップＳＴ５において、圧縮機（２１）の作動開始後の所定時間内に冷媒圧力が所定範囲外にあるかどうかを判定する。具体的には、圧縮機（２１）の作動開始後、所定時間を計測する。冷房運転時には、この所定時間以内に低圧保護圧力スイッチ（ＬＳ）の検出値が所定値以上にあるとき、又は暖房運転時には、この所定時間以内に高圧保護圧力スイッチ（ＨＳ１）の検出値が所定値以下にあるときは、恒常的異常がないものと判断して、ステップＳＴ６に進む。一方、この所定時間以内に上記検出値が所定範囲から外れたときは、恒常的異常と判定して、ステップＳＴ９に進む。ステップＳＴ５が判定手段（６３）を構成している。
【００５０】
ステップＳＴ６において、例えば、冷房運転時に上記所定時間を経過した後に低圧保護圧力スイッチ（ＬＳ）の検出値が所定値以下になると、コントローラ（６０）の停止手段（６２）が作動し、圧縮機（２１）の作動が停止しする。このときに、ステップＳＴ７に移り、初回運転モードが終了し、ステップＳＴ８において通常運転モードに切り換わる。
【００５１】
一方、恒常的異常と判定したときは、ステップＳＴ９に移り、コントローラ（６０）の停止手段（６２）が作動し、圧縮機（２１）の作動を停止する。恒常的異常としては、例えば、装置の据え付け時には閉鎖されている閉鎖弁（１４，１５）を運転開始前に開き忘れ、冷媒が循環できない状態にある場合などが該当する。そして、ステップＳＴ１０において、操作者に閉鎖弁（１４，１５）の開き忘れを知らせることができるようにリモコンに表示がされる。ステップＳＴ１０が表示手段（６４）を構成している。初回運転モードにおける運転時には、上記コントローラ（６０）に備えられるリトライ手段（６５）が作動しないため、圧縮機（２１）は再起動しない。ステップＳＴ９において圧縮機（２１）の作動が停止すると、ステップＳＴ１１に移り、初回運転モードが終了し、ステップＳＴ１２において通常運転モードに切り換わる。従って、その後に恒常的異常が解消し、圧縮機（２１）の作動が再開された後は、通常運転モードでの運転となる。
【００５２】
上記通常運転モードでの運転時において、高圧保護圧力スイッチ（ＨＳ１）の検出値が所定値以上になったとき、又は低圧保護圧力スイッチ（ＬＳ）の検出値が所定値以下になったときは、上記停止手段（６２）が作動し、圧縮機（２１）の作動を停止させる。そして、所定時間が経過して、冷媒圧力が均圧化し、上記検出値が所定範囲内に戻ったときには、上記リトライ手段（６５）が圧縮機（２１）を再起動させる。つまり、主電源投入後の２度目以降の運転時である通常運転モードでの運転時には、リトライ禁止手段（６６）が作動しない。
【００５３】
一方、上記コントローラ（６０）は、上記各温度センサ（Ｔｄ，Ｔｏ，Ｔｃ，Ｔｒ，Ｔｅ）、高圧保護圧力スイッチ（ＨＳ１）、高圧制御圧力センサ（ＨＳ２）、及び低圧保護圧力スイッチ（ＬＳ）の出力信号に基づいて運転制御している。具体的に、上記コントローラ（６０）は、室内温度が設定温度に収束するように圧縮機（２１）のインバータの周波数ステップを制御している。また、このコントローラ（６０）は、外熱交温度センサ（Ｔｃ）及び内熱交温度センサ（Ｔｅ）が検出する凝縮温度や蒸発温度から最適な冷凍効果を与える吐出管温度の最適値を算出し、該吐出管温度がその最適値になるように弁開度を算出して電子膨張弁（４４）の開度を制御している。
【００５４】
−実施形態の効果−
本実施形態によれば、以下のような効果が発揮される。
最初の空調運転の開始時には圧縮機（２１）が再起動されないため、無駄な再起動を防止することができる。特に、閉鎖弁（１４，１５）の開き忘れなどの恒常的異常の場合、圧縮機（２１）の再起動を行わないので、装置部品の損傷を確実に防止することができる。
【００５５】
また、圧縮機（２１）の吐出側又は吸入側の冷媒圧力を検出しているため、冷媒状態の異常に対する判断の応答性がよくなる。
【００５６】
また、圧縮機（２１）が作動を開始した所定時間以内に冷媒圧力が所定範囲から外れたときは恒常的異常と判定され、圧縮機（２１）の無駄な再起動を防止することができる。つまり、閉鎖弁（１４，１５）の開き忘れの場合、冷媒圧力の変動が瞬時に生じるので、恒常的異常を判別することができる。
【００５７】
また、恒常的異常があることを操作者に知らせることができる。
【００５８】
＜発明のその他の実施の形態＞
本発明は、上記実施形態について、以下のような構成としてもよい。
【００５９】
一台の室外ユニット（２０）に複数台の室内ユニット（３０）を接続したマルチタイプとしてもよい。
【００６０】
また、空気調和装置（１０）以外の冷凍装置にも適用することができる。
【００６１】
また、圧力検出手段（ＬＳ）は、低圧保護圧力スイッチ（ＬＳ）に限られず、各種の圧力センサであってもよい。
【図面の簡単な説明】
【図１】本発明の実施形態に係る空気調和装置の冷媒回路の概略図である。
【図２】コントローラの概略構成図である。
【図３】空気調和装置の制御動作を示すフローチャートである。
【符号の説明】
（１１）    冷媒回路
（２１）    圧縮機
（６２）    停止手段
（６３）    判定手段
（６４）    表示手段
（６５）    リトライ手段
（６６）    リトライ禁止手段
（ＨＳ１）  高圧保護圧力スイッチ
（ＬＳ）    低圧保護圧力スイッチ（圧力検出手段）
【図１】
0003948190.tif 000002
【図２】
0003948190.tif 000003
【図３】
0003948190.tif 000004